(57)【要約】【課題】  周波数誤差とフェージングとが同時に発生する場合でも歪補正の精度を高めることができるＯＦＤＭ復調装置を提供する。【解決手段】  Ａ／Ｄ変換器８の出力側には歪推定回路１０を接続し、歪推定回路１０のＡＦＣ１１を用いて周波数誤差を推定し、伝播路推定部１３を用いて伝播路の伝達関数を推定する。そして、周波数誤差はＡＦＣ１１に接続された可変周波数発振器１２とＩＱ信号検波器７を用いて補正し、フェージング等による振幅、位相の歪は伝播路推定部１３に接続された等化器１４を用いて補正する。また、歪推定回路１０には、周波数誤差と伝達関数を記憶可能なＥＥＰＲＯＭ１５を接続する。これにより、固定的な歪を予めＥＥＰＲＯＭ１５に記憶することができるから、固定的な歪を除いた残余の歪を補正すればよく、歪の量を減少させて、歪補正の精度を高めることができる。【選択図】        図１
2005130271.tif 000002
【特許請求の範囲】
【請求項１】
ＯＦＤＭ信号のパケット中の各シンボル期間毎にフーリエ変換処理を行うフーリエ変換処理部と、ＯＦＤＭ信号のパケット毎にＯＦＤＭ信号の周波数誤差を推定する周波数誤差推定部と、該周波数誤差推定部による周波数誤差の推定値を用いて前記フーリエ変換処理部の前段でＯＦＤＭ信号の周波数誤差を補正する周波数誤差補正部と、ＯＦＤＭ信号のパケット毎に伝播路を推定する伝播路推定部と、該伝播路推定部による伝播路の推定値を用いて前記フーリエ変換処理部から出力された周波数領域の信号に対して等化処理を行う等化器とからなるＯＦＤＭ復調装置において、
前記周波数誤差推定部による推定値と伝播路推定部による推定値とを任意の時点で記憶できる記憶手段を備え、前記周波数誤差推定部は該記憶手段に記憶された周波数誤差の記憶値を基準としてＯＦＤＭ信号の周波数誤差を推定し、前記伝播路推定部は前記記憶手段に記憶された伝播路の記憶値を基準としてＯＦＤＭ信号の伝播路を推定する構成としたことを特徴とするＯＦＤＭ復調装置。
【請求項２】
前記周波数誤差補正部は前記記憶手段に記憶された周波数誤差の記憶値を初期値としてＯＦＤＭ信号に対して周波数誤差を補正し、前記等化器は前記記憶手段に記憶された伝播路の記憶値を初期値として周波数領域の信号に対して等化処理を行う構成としてなる請求項１に記載のＯＦＤＭ復調装置。
【発明の詳細な説明】
【技術分野】
【０００１】
本発明は、直交周波数分割多重（ＯＦＤＭ:Orthogonal Frequency Division Multiplex）伝送方式による無線ＬＡＮ（Local Area Network）等に用いるＯＦＤＭ復調装置に関する。
【背景技術】
【０００２】
一般に、ＯＦＤＭ復調装置として、ＯＦＤＭ信号のパケット中の各シンボル期間毎にフーリエ変換処理を行うフーリエ変換処理部と、ＯＦＤＭ信号のパケット毎にＯＦＤＭ信号の周波数誤差を推定する周波数誤差推定部と、該周波数誤差推定部による周波数誤差の推定値を用いて前記フーリエ変換処理部の前段でＯＦＤＭ信号の周波数誤差を補正する周波数誤差補正部と、ＯＦＤＭ信号のパケット毎に伝播路を推定する伝播路推定部と、該伝播路推定部による伝播路の推定値を用いて前記フーリエ変換処理部から出力された周波数領域の信号に対して等化処理を行う等化器とを備えたものが知られている（例えば、特許文献１参照）。
【０００３】
【特許文献１】特開平１０−２９０２０８号公報
【０００４】
このような従来技術では、受信したＯＦＤＭ信号を直交検波器（ＩＱ信号検波器）を用いてＩ信号とＱ信号からなる複素検波信号を検波すると共に、フーリエ変換処理部は該複素検波信号のパケット中のシンボル期間毎にフーリエ変換処理を行う。また、周波数誤差推定部は、ＯＦＤＭ信号のパケットの先頭毎に設けられた既知の参照シンボル（同期用シンボル）を抽出し、その位相誤差を演算すると共に、該位相誤差を用いて周波数誤差を推定する。そして、周波数誤差補正部は、可変周波数発振器を用いて周波数誤差検出部による周波数誤差の推定値に応じた周波数をもつ発信信号を出力する。このとき、直交検波器は、該発信信号を用いてＯＦＤＭ信号の検波を行い、周波数誤差が補正された状態で複素検波信号を出力する構成となっている。
【０００５】
さらに、従来技術では、伝播路推定部は、ＯＦＤＭ信号のパケットの先頭毎に設けられた既知の参照シンボルを用いて伝播路を推定すると共に、等化器は、この伝播路の推定値を用いてフーリエ変換処理部から出力された周波数領域の信号に対して振幅と位相を修正する等化処理を行い、フェージング等の影響による周波数特性を補正する。そして、等化処理がされた周波数領域の信号は、後段の検波回路を用いて変調方式に応じた検波がされた後、デマッピングを行うことによってデータ信号に復元されるものである。
【発明の開示】
【発明が解決しようとする課題】
【０００６】
ところで、上述した従来技術によるＯＦＤＭ復調装置では、ローカル周波数ずれ等の周波数誤差は非ＬＴＩシステム（Linear and time-invariant discrete-time system：線形時不変な離散時間システム）による歪を構成し、選択性フェージング等はＬＴＩシステムによる歪を構成するのに対し、これらの２種類の歪が同時に発生することがある。この場合、例えば選択性フェージングによって参照シンボルが劣化してその振幅や位相が変化するのに対して、周波数誤差推定部は参照シンボルを用いて周波数誤差を推定するから、周波数誤差の正確な値を推定することができなくなる。この結果、周波数誤差補正部はＯＦＤＭ信号の周波数誤差を十分に補正することができないから、ＯＦＤＭ信号の隣接するキャリア間で干渉が発生すると共に、等化処理も十分に行うことができず、データ信号の復元確率が低下する傾向がある。
【０００７】
特に、従来技術によるＯＦＤＭ復調装置では、周波数誤差推定部は周波数誤差がない理想状態を基準として周波数誤差を推定すると共に、伝播路推定部もマルチパス等によるフェージングが生じない理想状態を基準として伝播路を推定している。このため、例えばＯＦＤＭ復調装置の内部で理想状態に対して固定的な周波数誤差が生じている場合には、僅かなフェージングが発生したときでも、周波数誤差の補正や等化処理ができなくなる傾向があり、周波数誤差とフェージングとの相互作用によって歪補正の精度が悪くなるという問題がある。
【０００８】
本発明は上述した従来技術の問題に鑑みなされたもので、本発明の目的は、周波数誤差とフェージングとが同時に発生する場合でも歪補正の精度を高めることができるＯＦＤＭ復調装置を提供することにある。
【課題を解決するための手段】
【０００９】
上述した課題を解決するために、本発明は、ＯＦＤＭ信号のパケット中の各シンボル期間毎にフーリエ変換処理を行うフーリエ変換処理部と、ＯＦＤＭ信号のパケット毎にＯＦＤＭ信号の周波数誤差を推定する周波数誤差推定部と、該周波数誤差推定部による周波数誤差の推定値を用いて前記フーリエ変換処理部の前段でＯＦＤＭ信号の周波数誤差を補正する周波数誤差補正部と、ＯＦＤＭ信号のパケット毎に伝播路を推定する伝播路推定部と、該伝播路推定部による伝播路の推定値を用いて前記フーリエ変換処理部から出力された周波数領域の信号に対して等化処理を行う等化器とからなるＯＦＤＭ復調装置に適用される。
【００１０】
そして、請求項１の発明が採用する構成の特徴は、前記周波数誤差推定部による推定値と伝播路推定部による推定値とを任意の時点で記憶できる記憶手段を備え、前記周波数誤差推定部は該記憶手段に記憶された周波数誤差の記憶値を基準としてＯＦＤＭ信号の周波数誤差を推定し、前記伝播路推定部は前記記憶手段に記憶された伝播路の記憶値を基準としてＯＦＤＭ信号の伝播路を推定する構成としたことにある。
【００１１】
また、請求項２の発明では、前記周波数誤差補正部は前記記憶手段に記憶された周波数誤差の記憶値を初期値としてＯＦＤＭ信号に対して周波数誤差を補正し、前記等化器は前記記憶手段に記憶された伝播路の記憶値を初期値として周波数領域の信号に対して等化処理を行う構成としている。
【発明の効果】
【００１２】
請求項１の発明によれば、周波数誤差推定部による推定値と伝播路推定部による推定値とを任意の時点で記憶できる記憶手段を備えるから、該記憶手段は、例えばマルチパスが無視できる状態で周波数誤差の推定値と伝播路の推定値とをそれぞれ記憶することによって、変調装置および復調装置に固有の周波数誤差、振幅の変動、位相の変動等の固定的な歪を予め記憶手段に記憶しておくことができる。このため、周波数誤差推定部と伝播路推定部は、これらの固定的な歪を除いた残余の歪を推定すればよいから、歪の量を減少させて正確な歪を推定することができ、周波数誤差補正部と等化器とを用いて精度良く歪を補正することができる。
【００１３】
また、請求項２の発明によれば、周波数誤差補正部は記憶手段に記憶された周波数誤差の記憶値を初期値として周波数誤差を補正し、等化器は記憶手段に記憶された伝播路の記憶値を初期値として等化処理を行うから、例えば記憶手段に固定的な歪を記憶させることによって、周波数誤差補正部と伝播路推定部とを用いて常時固定的な歪を補正することができると共に、周波数誤差補正部および等化器は、これらの固定的な歪を除いた残余の歪を補正すれば足りる。このため、周波数誤差補正部および等化器による歪の補正量を減少させることができるから、歪補正の精度を高めることができ、通信品質を向上することができる。
【発明を実施するための最良の形態】
【００１４】
以下、本発明の実施の形態によるＯＦＤＭ復調装置を添付図面に従って詳細に説明する。
【００１５】
図１は、ＯＦＤＭ復調装置としての受信機１を示し、該受信機１は後述のＩＱ信号検波器７、Ａ／Ｄ変換器８、ＦＦＴ回路９等によって構成されている。ここで、ＩＱ信号検波器７の前段側にはアンテナ２から受信された高周波信号（ＲＦ信号）を増幅する低雑音増幅器３が設けられると共に、該低雑音増幅器３の後段側はミキサ４と自動利得制御器５（以下、ＡＧＣ５という）とを介してＩＱ信号検波器７に接続されている。そして、ミキサ４は局部発振器６から出力される局部発信信号ＬＯを用いて高周波信号を中間周波信号（ＩＦ信号）にダウンコンバートし、該中間周波信号はＡＧＣ５によって一定の利得に調整された後にＩＱ信号検波器７に入力される構成となっている。
【００１６】
また、ＩＱ信号検波器７は、その入力側がＡＧＣ５を介してミキサ４に接続されると共に、後述の可変周波数発振器１２に接続されており、可変周波数発振器１２による発信信号Ｓoを用いて中間周波信号を直交検波し、Ｉ信号（同相信号）とＱ信号（直交信号）とからなるベースバンドのＯＦＤＭ信号を出力している。
【００１７】
８はＩＱ信号検波器７の出力側に接続されたＡ／Ｄ変換器で、該Ａ／Ｄ変換器８は、ＩＱ信号検波器７から出力されるアナログ信号をなすベースバンドのＯＦＤＭ信号をディジタル信号に変換している。
【００１８】
９はＡ／Ｄ変換器８の出力側に接続されたフーリエ変換処理部としての高速フーリエ変換回路（以下、ＦＦＴ回路９という）で、該ＦＦＴ回路９は、ＯＦＤＭ信号の各パケットが複数のシンボル期間を含むのに対して、同期処理部（図示せず）から出力される同期信号を用いてベースバンドのＯＦＤＭ信号のパケット中の各シンボル期間毎にフーリエ変換処理を行っている。具体的には、同期処理部によってパケットの先頭で同期を確立した後は、内部で作られる一定間隔のトリガ信号を用いてＦＦＴ窓のタイミングを決定し、シンボル期間毎のフーリエ変換処理を行うものである。そして、ＦＦＴ回路９は、ベースバンドのＯＦＤＭ信号を周波数領域に変換すると共に、この周波数領域に変換された信号（周波数領域信号Ｙ(f)）を後述の等化器１４に向けて出力している。
【００１９】
１０は歪推定回路で、該歪推定回路１０は、後述のＡＦＣ１１と伝播路推定部１３とによって大略構成されると共に、例えばキャリブレーション用の第１のスイッチ１０Ａとリセット用の第２のスイッチ１０Ｂとを備えている。
【００２０】
１１は周波数誤差推定部としての自動周波数制御部（以下、ＡＦＣ１１という）で、該ＡＦＣ１１は、Ａ／Ｄ変換器８から出力されるＯＦＤＭ信号のうち各パケットの先頭に設けられた既知の同期用シンボルＳ0を抽出すると共に、この抽出した同期用シンボルＳ0と予め記憶された比較用シンボルＳ1との間で相関（コンボリューション）演算、畳み込み積分を行う。このとき、比較用シンボルＳ1は、歪のない状態の同期用シンボルＳ0に対して、後述のＥＥＰＲＯＭ１５に格納された周波数誤差Δｆ0による位相差Δθ0だけ位相をずらした値になっている。そして、ＡＦＣ１１は、以下の数１の式に示すように、この積分値を用いて位相Δθと周波数誤差Δｆを演算すると共に、周波数誤差Δｆに応じた制御信号Ｓcを後述の可変周波発振器１２に向けて出力している。
【００２１】
【数１】
2005130271.tif 000003
【００２２】
１２はＩＱ信号検波器７と一緒に周波数誤差補正部を構成する可変周波数発振器で、該可変周波数発振器１２は、ＡＦＣ１１から出力された制御信号Ｓcに応じて周波数が変化する発信信号Ｓoを出力する。これにより、ＩＱ信号検波器７は、ＥＥＰＲＯＭ１５に格納された固定的な周波数誤差Δｆ0とＡＦＣ１１によって演算した周波数誤差Δｆとを補正したＯＦＤＭ信号を検波することができる。
【００２３】
１３は歪推定回路１０に設けられた伝播路推定部で、該伝播路推定部１３は、同期用シンボルＳ0を用いてＯＦＤＭ信号のパケット毎に伝播路を推定し、推定した伝播路（マルチパス）に応じた周波数応答からなる伝達関数Ｈ(f)を伝播路推定結果（タップ係数）として出力する。
【００２４】
具体的には、伝播路推定部１３は、ＡＦＣ１１と同様にＡ／Ｄ変換器８から出力されるＯＦＤＭ信号のうち各パケットの先頭に設けられた既知の同期用シンボルＳ0を抽出すると共に、この抽出した同期用シンボルＳ0と予め記憶された比較用シンボルＳ2との間で相関（コンボリューション）演算、畳み込み積分を行う。このとき、比較用シンボルＳ2は、歪のない状態の同期用シンボルＳ0に対して、その振幅と位相が後述のＥＥＰＲＯＭ１５に格納された伝達関数Ｈ0(f)に応じた値だけずらした値になっている。そして、伝播路推定部１３は、相関演算等によって得た演算値Ｈ1(f)と格納された伝達関数Ｈ0(f)との積を演算し、これらの積を伝達関数Ｈ(f)として出力する。
【００２５】
１４は伝播路推定部１３による伝達関数Ｈ(f)を用いてＦＦＴ回路９から出力された周波数領域信号Ｙ(f)に対して適応等化処理を行う等化器で、該等化器１４は、周波数領域信号Ｙ(f)と伝達関数Ｈ(f)との複素数の除算を行い、この演算結果を出力信号Ｘ(f)として出力している（Ｘ(f)＝Ｙ(f)／Ｈ(f)）。そして、適応等化処理された出力信号Ｘ(f)は、等化器１４の出力側に接続された検波回路(図示せず)を用いて各サブキャリアの変調方式に応じて検波されると共に、検波後にデマッピングを行うことによってデータ信号に復元されるものである。
【００２６】
１５は歪推定回路１０に接続された記憶手段としてのＥＥＰＲＯＭ（Electrically Erasable Programmable Read-Only Memory）で、該ＥＥＰＲＯＭ１５は、歪推定回路１０のキャリブレーション用のスイッチ１０Ａを閉成（ＯＮ）したときに、予め記憶された周波数誤差Δｆ0に対して、ＡＦＣ１１によって推定した周波数誤差Δｆを加えた値を新たな固定的な周波数誤差Δｆ0として記憶すると共に、伝播路推定部１３によって推定した伝達関数Ｈ(f)を固定的な伝達関数Ｈ0(f)として記憶する。また、ＥＥＰＲＯＭ１５は、歪推定回路１０のリセット用のスイッチ１０Ｂを閉成（ＯＮ）したときに、記憶された周波数誤差Δｆ0と伝達関数Ｈ0(f)とを初期値として歪のない状態にリセットする（Δｆ0＝０、Ｈ0(f)＝１）。
【００２７】
そこで、歪推定回路１０およびＥＥＰＲＯＭ１５の作動について、図２の状態遷移図および図３の流れ図を用いて説明する。
【００２８】
まず、歪推定回路１０は、スイッチ１０Ａ，１０Ｂがいずれも開成（ＯＦＦ）された通常時には、図３中のステップ１に示すようにＡＦＣ１１および伝播路推定部１３を用いて周波数誤差Δｆ、伝達関数Ｈ(f)の推定を行う通常動作を行っている。そして、リセット用のスイッチ１０Ｂが閉成（ＯＮ）されたときには、ステップ２で「ＹＥＳ」と判定され、ステップ３に移って周波数誤差Δｆ0と伝達関数Ｈ0(f)とを初期値にリセットした後に、ステップ１の通常動作に復帰する。
【００２９】
一方、リセット用のスイッチ１０Ｂが開成（ＯＦＦ）されるのに対して、キャリブレーション用のスイッチ１０Ａが閉成（ＯＮ）されたときには、ステップ２で「ＮＯ」と判定されるのに対して、ステップ４では「ＹＥＳ」と判定される。このとき、歪推定回路１０は、ステップ５に移って現在の推定値（周波数誤差Δｆ、伝達関数Ｈ(f)）を用いてＥＥＰＲＯＭ１５に記憶してある周波数誤差Δｆ0と伝達関数Ｈ0(f)を更新する（図２中のキャリブレーションモード）。そして、更新が終了し、新たな周波数誤差Δｆ0と伝達関数Ｈ0(f)が記憶された後には、ステップ１の通常動作に復帰し、これらの周波数誤差Δｆ0と伝達関数Ｈ0(f)を用いて周波数誤差Δｆ、伝達関数Ｈ(f)の推定を行うものである。
【００３０】
本実施の形態によるＯＦＤＭ復調装置は上述のように構成されるものであり、次にその作動について説明する。
【００３１】
まず、工場出荷時の初期状態では、ＥＥＰＲＯＭ１５の周波数誤差Δｆ0と伝達関数Ｈ0(f)は歪が生じない理想状態の値（Δｆ0＝０、Ｈ0(f)＝１）に設定されている。このため、受信機１を可動するときには、最初に例えば送信機１６に受信機１に近付ける等のようにマルチパスが無視できる状態を作り、この状態でキャリブレーション用のスイッチ１０Ａを閉成する。
【００３２】
これにより、歪推定回路１０は、図２中のキャリブレーションモードに移行し、現在の推定値（周波数誤差Δｆ、伝達関数Ｈ(f)）を用いてＥＥＰＲＯＭ１５に記憶してある周波数誤差Δｆ0と伝達関数Ｈ0(f)を更新する。これにより、ＥＥＰＲＯＭ１５には、送信機１６と受信機１の内部で発生する固定的な歪（周波数ずれ、振幅、位相のずれ）が記憶される。そして、ＥＥＰＲＯＭ１５に対する周波数誤差Δｆ0と伝達関数Ｈ0(f)の書込みが終了すると、歪推定回路１０は、新たな周波数誤差Δｆ0と伝達関数Ｈ0(f)を用いて周波数誤差Δｆと伝達関数Ｈ(f)の演算を行う通常状態に復帰する。
【００３３】
次に、受信機１をマルチパスやドップラー周波数シフト等が生じ得る通常の環境で使用する。このとき、受信機１は、送信機１６からの高周波信号をアンテナ２によって受信すると、ミキサ４はこの高周波信号を中間周波信号に周波数変換する。そして、中間周波信号はＩＱ信号検波器７によってＩ信号とＱ信号とからなるベースバンドのＯＦＤＭ信号に復調され、Ａ／Ｄ変換器８によってディジタル信号に変換される。
【００３４】
このとき、ＩＱ信号検波器７は、可変周波数発振器１２から出力される発信信号Ｓoを用いてＯＦＤＭ信号の検波を行うものの、発信信号Ｓoの周波数はＡＦＣ１１の制御信号Ｓcによって設定されている。そして、ＡＦＣ１１は、ＥＥＰＲＯＭ１５に記憶された周波数誤差Δｆ0を用いて制御信号Ｓcを出力するから、ＯＦＤＭ信号に対して伝播路による歪が生じないときであっても、可変周波数発振器１２は周波数誤差Δｆ0に応じた発信信号Ｓoを出力する。このため、ＩＱ信号検波器７は、受信機１の内部等で生じる固定的な周波数誤差Δｆ0を確実に補正することができる。
【００３５】
そして、ＩＱ信号検波器７から出力されてベースバンドのＯＦＤＭ信号はＦＦＴ回路９に入力されると共に、歪推定回路１０に入力される。このとき、ＦＦＴ回路９はＯＦＤＭ信号の各シンボル期間毎にフーリエ変換処理を行い、歪推定回路１０は、ＡＦＣ１１を用いてＯＦＤＭ信号のパケット毎に周波数誤差Δｆを推定すると共に、伝播路推定部１３を用いてＯＦＤＭ信号のパケット毎に伝播路を推定して伝達関数Ｈ(f)を出力する。
【００３６】
この結果、パケットの先頭に設けられた同期用シンボルＳ0を用いて周波数誤差Δｆ、伝達関数Ｈ(f)の演算が終了した後には、以降のシンボル（データシンボル）に対しては、ＩＱ信号検波器７は、ＥＥＰＲＯＭ１５に格納された固定的な周波数誤差Δｆ0とＡＦＣ１１によって演算した周波数誤差Δｆとの両方を補正したＯＦＤＭ信号を検波する。また、等化器１４は、伝播路推定部１３による伝達関数Ｈ(f)を用いてＦＦＴ回路９から出力された周波数領域信号Ｙ(f)に対して等化処理を行い、出力信号Ｘ(f)を出力する。
【００３７】
最後に、適応等化処理された出力信号Ｘ(f)は、等化器１４の出力側に接続された検波回路(図示せず)を用いて各サブキャリアの変調方式に応じて検波されると共に、検波後にデマッピングを行うことによってデータ信号に復元される。
【００３８】
かくして、本実施の形態では、ＡＦＣ１１による周波数誤差Δｆと伝播路推定部１３による伝達関数Ｈ(f)とを任意の時点で記憶できるＥＥＰＲＯＭ１５を備える構成としたから、該ＥＥＰＲＯＭ１５は、例えばマルチパスが無視できる状態で周波数誤差Δｆと伝達関数Ｈ(f)とをそれぞれ記憶することによって、送信機１６および受信機１に固有の周波数ずれ、振幅の変動、位相の変動等の固定的な歪を予めＥＥＰＲＯＭ１５に記憶しておくことができる。このため、ＡＦＣ１１と伝播路推定部１３は、これらの固定的な歪を除いた残余の歪を推定すればよいから、歪の量を減少させることができ、ＩＱ信号検波器７と等化器１４とを用いて精度良く歪を補正することができる。
【００３９】
即ち、本実施の形態による効果を具体的に詳述すると以下の通りとなる。例えば、図４に示すように、歪のないときの信号点Ａに対して、送信機１６からの高周波信号を受信機１で復調したときの信号点Ｃは、周波数誤差やマルチパスによるフェージングによって信号点Ａとは異なる位置に配置される場合を検討する。このとき、信号点Ａ，Ｃ間の歪には、送信機１６、受信機１等による固定的な歪が含まれており、このような固定的な劣化による信号点Ｂは、信号点Ａ，Ｃ間に配置される。これに対し、本実施の形態では、固定的な劣化は周波数誤差Δｆ0と伝達関数Ｈ0(f)としてＥＥＰＲＯＭ１５に記憶されているから、信号点Ｂを初期値として残余の周波数誤差Δｆ、伝達関数Ｈ(f)を推定して補正すれば足りる。このため、ＡＦＣ１１と伝播路推定部１３には、常に固定的な歪が除去されたＯＦＤＭ信号が入力されるから、周波数誤差やフェージングが同時に発生したときであっても、ＡＦＣ１１と伝播路推定部１３とが推定する歪の量を減少させることができ、周波数誤差Δｆ、伝達関数Ｈ(f)の推定値の精度を高めることができる。この結果、ＩＱ信号検波器７と等化器１４とによる歪補正の精度を高めることができ、通信品質を向上することができる。
【００４０】
なお、前記実施の形態では、記憶手段としてＥＥＰＲＯＭ１５を用いる構成としたが、本発明はこれに限らず、記憶手段として例えばＲＡＭ（Random Access Memory）、磁気記録装置等を用いる構成としてもよい。
【００４１】
また、前記実施の形態では、伝播路推定部１３はＦＦＴ回路９の前段側のＯＦＤＭ信号を用いて伝播路の伝達関数Ｈ(f)を演算する構成としたが、従来技術と同様にＦＦＴ回路９の後段側の周波数領域の信号を用いて伝播路の伝達関数を演算する構成としてもよい。
【００４２】
また、前記実施の形態では、高周波信号を中間周波信号にダウンコンバートするミキサ等を備える構成とした。しかし、本発明はこれに限らず、例えばミキサ等を省き、アンテナによって受信した信号を直接的に直交検波するダイレクトコンバージョンの構成としてもよい。
【図面の簡単な説明】
【００４３】
【図１】本発明の実施の形態による受信機を示す全体構成図である。
【図２】図１中の歪推定回路の動作状態を示す状態遷移図である。
【図３】図１中の歪推定回路の動作を示す流れ図である。
【図４】図１中の受信機に用いる信号点の配置を示す説明図である。
【符号の説明】
【００４４】
１  受信機（ＯＦＤＭ復調装置）
７  ＩＱ信号検波器（周波数誤差補正部）
８  Ａ／Ｄ変換器
９  ＦＦＴ回路（フーリエ変換処理部）
１０  歪推定回路
１１  ＡＦＣ（周波数誤差推定部）
１２  可変周波数発振器（周波数誤差補正部）
１３  伝播路推定部
１４  等化器
１５  ＥＥＰＲＯＭ（記憶手段）
１６  送信機
【図１】
2005130271.tif 000004
【図２】
2005130271.tif 000005
【図３】
2005130271.tif 000006
【図４】
2005130271.tif 000007